(57)【要約】【課題】本考案は、サポート杆受け金具に関し、ベランダ、バルコニー、テラス、階段の踊り場等の手摺り壁のような立壁の上端で、上階のコンクリート型枠を支えるサポート杆を支持するのに使用され、取扱い操作が簡単に行え、設置後の安定性を高くする。【解決手段】ベランダ等の手摺り壁のような立壁２の上端に門型に被冠して上階のコンクリート型枠３を支えるサポート杆４を支持し、立壁の上端部２ａに外嵌されて挟持可能に重ね合わされる側面略Ｌ字状の一対の挟持部材１,１′と、設置幅Ｌを変更するように摺動可能に固定され、サポート杆４の下端部４ａが外嵌される締結具５とを備え、一対の挟持部材のうちの一方に長手方向Ｘにスリット６が開設され、他方にはスリット内に摺動可能に遊挿される案内突起７が突設される。【選択図】図１
0003139619.tif 000002
【実用新案登録請求の範囲】
【請求項１】
ベランダ等の手摺り壁のような立壁の上端に門型に被冠して上階のコンクリート型枠を支えるサポート杆を支持するものであって、前記立壁の上端部に外嵌されて該上端部を挟持可能に重ね合わされる側面略Ｌ字状の一対の挟持部材と、該挟持部材相互の設置幅を変更するように摺動可能に固定するとともに、サポート杆の下端部が外嵌される締結具とを備えたサポート杆受け金具にして、
一対の前記挟持部材のうちの一方には長手方向にスリットが開設され、前記挟持部材のうちの他方には前記スリット内に摺動可能に遊挿される案内突起が前記挟持部材の対向面に突設されることを特徴とするサポート杆受け金具。
【請求項２】
ベランダ等の手摺り壁のような立壁の上端に門型に被冠して上階のコンクリート型枠を支えるサポート杆を支持するものであって、前記立壁の上端部に外嵌されて該上端部を挟持可能に重ね合わされる側面略Ｌ字状の一対の挟持部材と、該挟持部材相互の設置幅を変更するように摺動可能に固定するとともに、サポート杆の下端部が外嵌される締結具とを備えたサポート杆受け金具にして、
一対の前記挟持部材のうちの上方の挟持部材には長手方向にスリットが開設され、前記挟持部材のうちの下方の挟持部材には前記スリット内に摺動可能に前記締結具を構成するボルトと、該ボルトに対して間隔をあけて突設した案内突起とが摺動可能に遊挿されることを特徴とするサポート杆受け金具。
【請求項３】
ベランダ等の手摺り壁のような立壁の上端に門型に被冠して上階のコンクリート型枠を支えるサポート杆を支持するものであって、前記立壁の上端部に外嵌されて該上端部を挟持可能に重ね合わされる側面略Ｌ字状の一対の挟持部材と、該挟持部材相互の設置幅を変更するように摺動可能に固定するとともに、サポート杆の下端部が外嵌される締結具とを備えたサポート杆受け金具にして、
一対の前記挟持部材のうちの下方の挟持部材には長手方向にスリットが開設され、前記挟持部材のうちの上方の挟持部材には前記スリット内に摺動可能に前記締結具を構成するボルトと、該ボルトに対して間隔をあけて突設した案内突起とが摺動可能に遊挿されることを特徴とするサポート杆受け金具。
【請求項４】
前記締結具が、その内底部にナット材、またはボルトの何れか一方が固着され、外周には操作孔が設けられた有底筒状の受筒体と、前記ナット材、またはボルトの何れかに螺入可能に下方の挟持部材に固定されたボルト、またはナット材と、により形成されたことを特徴とする請求項１−３の何れかに記載のサポート杆受け金具。
【請求項５】
下方の前記挟持部材の下面には前記立壁の上面に外側から内側に向かって下り勾配に形成された斜面部に対して略水平に高さを維持する高さ調整突起が所望個数取付けられたことを特徴とする請求項１−４の何れかに記載のサポート杆受け金具。
【考案の詳細な説明】
【技術分野】
【０００１】
本考案は、サポート杆受け金具に関し、ベランダ、バルコニー、テラス、階段の踊り場等の手摺り壁のような立壁の上端で、上階のコンクリート型枠を支えるサポート杆を支持するのに使用され、取扱い操作が簡単に行え、しかも、設置後の安定性を高くしたものである。
【背景技術】
【０００２】
従来、例えばベランダ等の手摺り壁のような立壁の上端で、上階のコンクリート型枠を支えるサポート杆を支持するベランダ支保工用取付金具として、例えばベランダ等の手摺り壁のような立壁の上端部に外嵌されて該上端部を挟持可能に重ね合わされる側面略Ｌ字状の一対の挟持部材と、該挟持部材相互の設置幅を変更するように摺動可能に下方の挟持部材に垂設されたボルトと、サポート杆の下端部が外嵌される筒状体の内底部に設けたナットとよりなる締結具にて締結し、下方の挟持部材の裏面に設けられた傾斜部面により前記立壁の上端部に外側から内側に向かって下り勾配に形成された斜面部に対して略水平に高さを維持することにより上方荷重によって変形を防止するようにしたものがあった（例えば特許文献１参照）。
【特許文献１】特開２００１−８１９７７号公報
【考案の開示】
【考案が解決しようとする課題】
【０００３】
しかしながら、特許文献１に記載の上記従来のベランダ支保工用取付金具は、例えばベランダ等の手摺り壁のような立壁の上端に、門型に被冠され、側面略Ｌ字状の一対の挟持部材を外嵌することによりベランダ支保工用取付金具を設置したり、立壁の幅の大小に応じて一対の挟持部材の設置幅を広狭調整する場合に、一対の挟持部材相互を上方の挟持部材に開設されたスリット内に下方の挟持部材に垂設されたボルトを摺動、案内させて行く途中で、ボルトを中心に一方の挟持部材が他方の挟持部材に対して不用意に自由回動したり、屈曲されることになる。従って、立壁の上端に、側面略Ｌ字状の一対の挟持部材を外嵌したり、立壁の幅の大小に応じて一対の挟持部材の設置幅を広狭調整する場合等の操作性が悪く施工工事の作業効率が低いものであった。しかも、立壁の上端部にベランダ支保工用取付金具を設置した後にも、上方荷重を受ける等すると、一対の挟持部材相互がボルトとナットとによる締結具の緊結個所にて垂直軸回りに横折れ状態になり、不安定であった。
【０００４】
本考案は上記従来のベランダ支保工用取付金具の欠点を解決するためになされ、ベランダ等の手摺り壁のような立壁の上端に、一対の挟持部材を外嵌したり、立壁の幅の大小に応じて一対の挟持部材の設置幅を広狭調整する場合に、一方の挟持部材に開設されたスリット内に他方の挟持部材に垂設されたボルトを摺動、案内させて行く途中で、ボルトを中心に一方の挟持部材が他方の挟持部材に対して不用意に自由回動したり、横折れ状態に屈曲されることなく、一対の挟持部材の設置幅を操作性が良く調整が容易に行え、以て施工工事の作業効率が高く、しかも、立壁の上端部に設置後に上方荷重を受けても、一対の挟持部材相互がボルトとナットとによる締結具の緊結個所にて横折れ状態にならずに、安定に上階のコンクリート型枠を支持でき、構造簡単にして製作、および組付けが容易なサポート杆受け金具を提供することを目的とする。
【課題を解決するための手段】
【０００５】
本考案は上記課題に鑑みなされ、請求項１に記載の考案は、
ベランダ等の手摺り壁のような立壁の上端に門型に被冠して上階のコンクリート型枠を支えるサポート杆を支持するものであって、前記立壁の上端部に外嵌されて該上端部を挟持可能に重ね合わされる側面略Ｌ字状の一対の挟持部材と、該挟持部材相互の設置幅を変更するように摺動可能に固定するとともに、サポート杆の下端部が外嵌される締結具とを備えたサポート杆受け金具にして、
一対の前記挟持部材のうちの一方には長手方向にスリットが開設され、前記挟持部材のうちの他方には前記スリット内に摺動可能に遊挿される案内突起が前記挟持部材の対向面に突設されることを特徴とする。
【０００６】
また、請求項２に記載の考案は、ベランダ等の手摺り壁のような立壁の上端に門型に被冠して上階のコンクリート型枠を支えるサポート杆を支持するものであって、前記立壁の上端部に外嵌されて該上端部を挟持可能に重ね合わされる側面略Ｌ字状の一対の挟持部材と、該挟持部材相互の設置幅を変更するように摺動可能に固定するとともに、サポート杆の下端部が外嵌される締結具とを備えたサポート杆受け金具にして、
一対の前記挟持部材のうちの上方の挟持部材には長手方向にスリットが開設され、前記挟持部材のうちの下方の挟持部材には前記スリット内に摺動可能に前記締結具を構成するボルトと、該ボルトに対して間隔をあけて突設した案内突起とが摺動可能に遊挿されることを特徴とする。
【０００７】
また、請求項３に記載の考案は、ベランダ等の手摺り壁のような立壁の上端に門型に被冠して上階のコンクリート型枠を支えるサポート杆を支持するものであって、前記立壁の上端部に外嵌されて該上端部を挟持可能に重ね合わされる側面略Ｌ字状の一対の挟持部材と、該挟持部材相互の設置幅を変更するように摺動可能に固定するとともに、サポート杆の下端部が外嵌される締結具とを備えたサポート杆受け金具にして、
一対の前記挟持部材のうちの下方の挟持部材には長手方向にスリットが開設され、前記挟持部材のうちの上方の挟持部材には前記スリット内に摺動可能に前記締結具を構成するボルトと、該ボルトに対して間隔をあけて突設した案内突起とが摺動可能に遊挿されることを特徴とする。
【０００８】
また、請求項４に記載の考案は、請求項１−３の何れかにおいて、前記締結具が、その内底部にナット材、またはボルトの何れか一方が固着され、外周には操作孔が設けられた有底筒状の受筒体と、前記ナット材、またはボルトの何れかに螺入可能に下方の挟持部材に固定されたボルト、またはナット材と、により形成されたことを特徴とする。
【０００９】
また、請求項５に記載の考案は、請求項１−４の何れかにおいて、下方の前記挟持部材の下面には前記立壁の上面に外側から内側に向かって下り勾配に形成された斜面部に対して略水平に高さを維持する高さ調整突起が所望個数取付けられたことを特徴とする。
【考案の効果】
【００１０】
本考案の請求項１に記載の考案によれば、ベランダ等の手摺り壁のような立壁の上端に門型に被冠して上階のコンクリート型枠を支えるサポート杆を支持するものであって、前記立壁の上端部に外嵌されて該上端部を挟持可能に重ね合わされる側面略Ｌ字状の一対の挟持部材と、該挟持部材相互の設置幅を変更するように摺動可能に固定するとともに、サポート杆の下端部が外嵌される締結具とを備えたサポート杆受け金具にして、一対の前記挟持部材のうちの一方には長手方向にスリットが開設され、前記挟持部材のうちの他方には前記スリット内に摺動可能に遊挿される案内突起が前記挟持部材の対向面に突設されるので、ベランダ等の手摺り壁のような立壁の上端に、一対の挟持部材を外嵌したり、立壁の幅の大小に応じて一対の挟持部材の設置幅を広狭調整する場合に、一方の挟持部材に開設されたスリット内に他方の挟持部材に垂設されたボルトを摺動、案内させて行く途中で、ボルトを中心に一方の挟持部材が他方の挟持部材に対して不用意に自由回動したり、屈曲されることなく、一対の挟持部材の設置幅を直線的に摺動させて操作性が良く調整が行え、施工工事の作業効率が高く、しかも、立壁の上端部に設置後に上方荷重を受けても、一対の挟持部材相互がボルトとナットとによる締結具の緊結個所にて横折れ状態にならずに、安定に上階のコンクリート型枠を支持でき、構造簡単にして製作、および組付けが容易になる。
【００１１】
また、本考案の請求項２に記載の考案によれば、ベランダ等の手摺り壁のような立壁の上端に門型に被冠して上階のコンクリート型枠を支えるサポート杆を支持するものであって、前記立壁の上端部に外嵌されて該上端部を挟持可能に重ね合わされる側面略Ｌ字状の一対の挟持部材と、該挟持部材相互の設置幅を変更するように摺動可能に固定するとともに、サポート杆の下端部が外嵌される締結具とを備えたサポート杆受け金具にして、一対の前記挟持部材のうちの上方の挟持部材には長手方向にスリットが開設され、前記挟持部材のうちの下方の挟持部材には前記スリット内に摺動可能に前記締結具を構成するボルトと、該ボルトに対して間隔をあけて突設した案内突起とが摺動可能に遊挿されるので、ベランダ等の手摺り壁のような立壁の上端に、一対の挟持部材を外嵌したり、立壁の幅の大小に応じて一対の挟持部材の設置幅を広狭調整する場合に、上方の挟持部材に開設されたスリット内に下方の挟持部材に垂設されたボルトを摺動、案内させて行く途中で、ボルトを中心に一方の挟持部材が他方の挟持部材に対して不用意に自由回動したり、屈曲されることなく、一対の挟持部材の設置幅を直線的に摺動させて操作性が良く調整が行え、施工工事の作業効率が高く、しかも、立壁の上端部に設置後に上方荷重を受けても、一対の挟持部材相互がボルトとナットとによる締結具の緊結個所にて横折れ状態にならずに、安定に上階のコンクリート型枠を支持でき、構造簡単にして製作、および組付けが容易になる。
【００１２】
また、本考案の請求項３に記載の考案によれば、ベランダ等の手摺り壁のような立壁の上端に門型に被冠して上階のコンクリート型枠を支えるサポート杆を支持するものであって、前記立壁の上端部に外嵌されて該上端部を挟持可能に重ね合わされる側面略Ｌ字状の一対の挟持部材と、該挟持部材相互の設置幅を変更するように摺動可能に固定するとともに、サポート杆の下端部が外嵌される締結具とを備えたサポート杆受け金具にして、一対の前記挟持部材のうちの下方の挟持部材には長手方向にスリットが開設され、前記挟持部材のうちの上方の挟持部材には前記スリット内に摺動可能に前記締結具を構成するボルトと、該ボルトに対して間隔をあけて突設した案内突起とが摺動可能に遊挿されるので、ベランダ等の手摺り壁のような立壁の上端に、一対の挟持部材を外嵌したり、立壁の幅の大小に応じて一対の挟持部材の設置幅を広狭調整する場合に、下方の挟持部材に開設されたスリット内に上方の挟持部材に垂設されたボルトを摺動、案内させて行く途中で、ボルトを中心に一方の挟持部材が他方の挟持部材に対して不用意に自由回動したり、屈曲されることなく、一対の挟持部材の設置幅を操作性が良く調整が行え、施工工事の作業効率が高く、しかも、立壁の上端部に設置後に上方荷重を受けても、一対の挟持部材相互がボルトとナットとによる締結具の緊結個所にて横折れ状態にならずに、安定に上階のコンクリート型枠を支持でき、構造簡単にして製作、および組付けが容易になる。
【００１３】
また、本考案の請求項４に記載の考案によれば、請求項１−３の何れかにおいて、前記締結具が、その内底部にナット材、またはボルトの何れか一方が固着され、外周には操作孔が設けられた有底筒状の受筒体と、前記ナット材、またはボルトの何れかに螺入可能に下方の挟持部材に固定されたボルト、またはナット材と、により形成されたので、ベランダ等の手摺り壁のような立壁の上端に、一対の挟持部材を外嵌したり、立壁の幅の大小に応じて一対の挟持部材の設置幅を広狭調整する場合に、受筒体を回動操作することによりボルトとナットとを螺入し、一対の挟持部材を自動的に緊結する。従って、施工工事の作業効率が高く、構造簡単にして製作、および組付けが容易になる。
【００１４】
また、本考案の請求項５に記載の考案によれば、請求項１−４の何れかにおいて、下方の前記挟持部材の下面には前記立壁の上面に外側から内側に向かって下り勾配に形成された斜面部に対して略水平に高さを維持する高さ調整突起が所望個数取付けられたので、ベランダ等の手摺り壁のような立壁の上端に、一対の挟持部材を外嵌したり、立壁の幅の大小に応じて一対の挟持部材の設置幅を広狭調整する場合に、下方の挟持部材の下面に突設した高さ調整突起が立壁の上面に外側から内側に向かって下り勾配に形成された斜面部に対して略水平に高さを維持し、サポート杆を略垂直に支持するとともに、上階のコンクリート型枠を略水平に支持し、安定化する。
【考案を実施するための最良の形態】
【００１５】
以下、図面に従って本考案の実施の最良の形態により、本考案の詳細を説明する。
【００１６】
図１は本考案のサポート杆受け金具の実施形態１を示し、組付け状態の断面図、図２は同じく使用状態を示す断面図、図３は同じく本実施形態１の一方の挟持部材を示す正面図、図４は同じく平面図、図５は同じく本実施形態１の他方の挟持部材を示す正面図、図６は同じく平面図である。
【００１７】
本実施形態１は、ベランダ、バルコニー、テラス、階段の踊り場等の手摺り壁のような
立壁２の上端に門型に被冠して上階のコンクリート型枠３を支えるサポート杆４を支持するものであって、前記立壁２の上端部２ａに外嵌されて該上端部２ａを挟持可能に重ね合わされる側面略Ｌ字状の一対の挟持部材１,１′と、該挟持部材１,１′相互の設置幅Ｌを変更するように摺動可能に固定するとともに、サポート杆４の下端部４ａが外嵌される締結具５とを備えたサポート杆受け金具である点は特許文献１に記載の従来のベランダ支保工用取付金具と同様の構成である。
【００１８】
しかしながら、本実施形態１では、一対の前記挟持部材１,１′のうちの一方の挟持部材１′には長手方向Ｘにスリット６が開設され、前記挟持部材１,１′のうちの他方の挟持部材１には前記スリット６内に摺動可能に遊挿される案内突起７が前記挟持部材１′の対向面に突設される。
【００１９】
前記挟持部材１,１′は、鉄、鋼材、またはそれらの合金等の金属により形成される。
【００２０】
前記締結具５が、本実施形態１では図示するようにその内底部８ａにナット材９が固着され、外周には所望個数の操作孔８ｂが設けられた有底筒状の受筒体８と、前記ナット材９に螺入可能に下方の挟持部材１に固定されたボルト１０と、により形成される。前記ナット材９を受筒体８の内底部８ａに固着したり、前記ボルト１０を挟持部材１に固定するのには、それぞれ溶接したり、接着剤を用いた接着する等して行われる。
【００２１】
１１は下方の前記挟持部材１の下面に所望個数、所望向きに取付けられた高さ調整突起であり、この高さ調整突起１１は前記立壁２の上面に外側Ｏから内側Ｉに向かって下り勾配に形成された斜面部１２に対して一対の挟持部材１,１′を略水平に高さを維持するためのものである。
【００２２】
本実施形態１のサポート杆受け金具は以上の構成からなり、使用にあたり、ベランダ、バルコニー、テラス、階段の踊り場等の手摺り壁のような立壁２の上端で、上階のコンクリート型枠３を支えるサポート杆４を支持するのには、立壁２の上端部２ａに側面Ｌ字状の一対の前記挟持部材１,１′を門型に外嵌させる。
【００２３】
この際、立壁２の幅Ｗの大小に応じて一対の挟持部材１,１′の設置幅Ｌを広狭調整する。これには、上方の挟持部材１′の長手方向Ｘに設けたスリット６内に遊挿されている下方の挟持部材１に垂設したボルト１０と、該ボルト１０に対して間隔を空けて下方の挟持部材１に突設された案内突起７とを軸長方向Ｘに摺動、案内させることにより一方の挟持部材１に対し、他方の挟持部材１′を伸長し、立壁２の幅Ｗの大小に応じて一対の挟持部材１,１′の設置幅Ｌを広狭調整する。
【００２４】
このように、一対の挟持部材１,１′の設置幅Ｌを広狭調整する時に、下方の挟持部材１に突設した案内突起７が、上方の挟持部材１′に設けたスリット６内を長手方向Ｘに摺動、案内されて行くので、一対の挟持部材１,１′の設置幅Ｌを広狭調整する途中で、ボルト１０を中心に一方の挟持部材１が他方の挟持部材１′に対して不用意に自由回動したり、屈曲されることなくなるため、一対の挟持部材１,１′の設置幅Ｌを操作性が良く調整が行える。従って、特許文献１に記載の従来のベランダ支保工用取付金具のように、例えばベランダ等の手摺り壁のような立壁の上端に、門型に被冠される一対の挟持部材を立壁の幅の大小に応じて広狭調整する場合に、上方の挟持部材に開設されたスリット内に下方の挟持部材に垂設されたボルトを摺動、案内させて行く途中で、ボルトを中心に一方の挟持部材が他方の挟持部材に対して不用意に自由回動したり、屈曲されるという不都合はなく、一対の挟持部材１,１′を外嵌したり、立壁２の幅の大小に応じて一対の挟持部材１,１′の設置幅Ｌを広狭調整する場合等の操作性が良好になり、施工工事の作業効率が良くなる。
【００２５】
こうして、立壁２の幅Ｗの大小に応じて設置長さＬが調整された一対の挟持部材１,１′をベランダ等の手摺り壁のような立壁２の上端に外嵌する。そして、下方の挟持部材１の下面に突設した高さ調整突起１１が立壁２の上面に外側Ｏから内側Ｉに向かって下り勾配に形成された斜面部１２に対して略水平に高さを維持し、後述のようにサポート杆４を略垂直に支持するとともに、上階のコンクリート型枠３を略水平に支持する。
【００２６】
その後、緊結具５の外周に設けられた操作孔８ｂ内に図には示さないシノ等の工具を挿入し、緊結具５を垂直軸回りに回動操作すると、筒状体よりなる緊結具５の内底部８ａ内に固着されたナット材９に挟持部材１に垂設されたボルト１０が螺入されることにより一対の挟持部材１,１′は緊結される。
【００２７】
この際、下側の挟持部材１に突設された案内突起７がスリット６内に遊挿されているので、緊結具５の回動操作により一対の挟持部材１,１′の共回りは阻止され、ボルト１０と、ナット材９とによる緊締操作は迅速かつ確実に行える。
【００２８】
そして、立壁２の上端部２ａに門型の一対の挟持部材１,１′を外嵌させたサポート杆受け金具を設置した後にも、サポート杆４、上階のコンクリート型枠３、コンクリート型枠３内に打設されるコンクリート等の上方荷重を一対の挟持部材１,１′が受ける等しても、前述のように、一対の挟持部材１,１′が緊結具５のボルト１０とナット９とが螺合されて緊結されるのと、スリット６内に高さ調整突起１１が挿入されていることによって一対の挟持部材１,１′相互が不用意にズレ動いたり、締結具５の緊結個所にて横折れ状態になるのが防止され、安定にサポート杆４、上階のコンクリート型枠３、コンクリート型枠３内に打設されるコンクリート等を支持し、構造堅牢になり、ヒビや割れを生ずることがない綺麗な仕上がりのベランダ等のコンクリート構築物を養生、固化定することができる。
【００２９】
図７は本考案のサポート杆受け金具の実施形態２を示す。
【００３０】
前記実施形態１では、緊結具５が、有底筒状の受筒体８の内底部８ａにナット材９が固着され、前記ナット材９に螺入可能なボルト１０を下方の挟持部材１に固定させたことにより構成されるが、本実施形態２では、垂直軸回りに回動操作される受筒体８の内底部８ａに垂設されたボルト１０′を下方の挟持部材１の下面に固定されたナット材９′に螺入させることにより挟持部材１,１′を緊結させるようにした点が前記実施形態１と異なる構成、作用であるほかは、前記実施形態１と同様の構成、同様の作用である。
【産業上の利用可能性】
【００３１】
本考案は、ベランダ等の手摺り壁のような立壁の上端に、一対の挟持部材を外嵌したり、立壁の幅の大小に応じて一対の挟持部材の設置幅を広狭調整する場合に、一方の挟持部材に開設されたスリット内に他方の挟持部材に垂設されたボルトを摺動、案内させて行く途中で、ボルトを中心に一方の挟持部材が他方の挟持部材に対して不用意に自由回動したり、屈曲されることなく、一対の挟持部材の設置幅を操作性が良く調整が行え、施工工事の作業効率が高く、しかも、立壁の上端部に設置後に上方荷重を受けても、一対の挟持部材相互がボルトとナットとによる締結具の緊結個所にて横折れ状態にならずに、安定に維持でき、構造簡単にして製作、および組付けが容易になる用途・機能に適する。
【図面の簡単な説明】
【００３２】
【図１】図１は本考案のサポート杆受け金具の実施形態１を示し、組付け状態の断面図である。
【図２】図２は同じく使用状態を示す断面図である。
【図３】図３は同じく本実施形態１の一方の挟持部材を示す正面図である。
【図４】図４は同じく同じく平面図である。
【図５】図５は同じく本実施形態１の他方の挟持部材を示す正面図である。
【図６】図６は同じく平面図である。
【図７】本考案のサポート杆受け金具の実施形態２を示し、組付け状態の断面図である。
【符号の説明】
【００３３】
１     挟持部材
１′   挟持部材
２     立壁
２ａ   立壁部
３     コンクリート型枠
４     サポート杆
５     緊結具
６     スリット
７     案内突起
８     操作孔
９     ナット材
１０   ボルト
【図１】
0003139619.tif 000003
【図２】
0003139619.tif 000004
【図３】
0003139619.tif 000005
【図４】
0003139619.tif 000006
【図５】
0003139619.tif 000007
【図６】
0003139619.tif 000008
【図７】
0003139619.tif 000009